(57)【要約】      （修正有）【課題】マルチディスプレイ表示における個々の映像表示装置の映像設定操作を、使用者が操作しやすい位置にある映像表示装置から他の映像表示装置を操作する事が出来るマルチディスプレイ装置を実現する。【解決手段】複数の映像表示装置１００、２００、８００が接続されたマルチディスプレイ装置において、各映像表示装置１００、２００、８００は、個々の映像表示装置を特定可能な個別識別情報を有し、各映像表示装置１００、２００、８００間は通信手段６００で接続され、各映像表示装置１００、２００、８００のうち、特定の映像表示装置が、他の映像表示装置の映像設定を行う。【選択図】図１
2011257524.tif 000002
【特許請求の範囲】
【請求項１】
複数の映像表示装置が接続されたマルチディスプレイ装置において、
前記各映像表示装置は、
個々の映像表示装置を特定可能な個別識別情報を有し、
前記各映像表示装置間は通信手段で接続され、
前記各映像表示装置のうち、特定の映像表示装置が、他の映像表示装置の映像設定を行うことを特徴とするマルチディスプレイ装置。
【請求項２】
前記各映像表示装置のうち、遠隔操作装置によって特定された映像表示装置が、他の映像表示装置の映像設定を行うことを特徴とする請求項１のマルチディスプレイ装置。
【請求項３】
前記各映像表示装置のうち、特定の映像表示装置が、他の映像表示装置から映像設定情報を取得することを特徴とする請求項１または２のマルチディスプレイ装置。
【請求項４】
前記各映像表示装置のうち、特定された映像表示装置が、他の映像表示装置から映像設定情報を取得し、該情報を表示することを特徴とする請求項３のマルチディスプレイ装置。
【請求項５】
複数の映像表示装置が接続されたマルチディスプレイ装置における映像設定方法であって、
前記各映像表示装置は、
前記各映像表示装置は個々の映像表示装置を特定可能な個別識別情報を有しており、
前記各映像表示装置間は通信手段で接続されており、
前記各映像表示装置のうち、特定の映像表示装置が、他の映像表示装置の映像設定情報を取得するステップと、前記取得した映像設定情報に変更が加えられた際、変更後の映像設定情報を映像設定情報の取得元となった映像表示装置へ反映させるステップとを有することを特徴とする映像設定方法。
【発明の詳細な説明】
【技術分野】
【０００１】
本発明は、複数の映像表示装置を互いに或いは外部機器を通して接続し、１枚のディスプレイのように機能するマルチディスプレイ装置に関する。
【背景技術】
【０００２】
現在、複数の映像表示装置を接続して１枚のディスプレイのように機能させるマルチディスプレイ装置が広く用いられている。大画面を必要とする展示会やコンサートなど業務用を中心とし、設置場所の環境や用途・目的に合わせて接続数を自由に増減出来る事が特徴で、単体で表示装置として機能するものである。
【０００３】
マルチディスプレイ装置を構成する主な要素について以下に解説する。最初に、個々の映像表示装置について述べる。映像表示装置は、ＰＣやテレビなどで使用される液晶ディスプレイや、プラズディスプレイ、プロジェクションディスプレイ、ＣＲＴディスプレイなど様々なものが用いられる。どの方式の映像表示装置も、映像を映し出す表示部と、表示部を駆動させるための表示駆動部、外部からの映像信号を受け取る映像入力部、使用者からの映像設定などの操作を受け付けるリモコン受光部９０２、これら全体を制御する制御部などで構成されているのが一般的である。
【０００４】
次に、映像分配器について述べる。映像分配器は映像出力機器と映像表示装置の間に挿入されるもので、複数の映像表示装置を組み合わせて一体の映像表示装置として機能させるために、映像ソースの分割配信を行う目的で使用される。すなわち、映像出力機器から出力された映像信号を、複数の映像表示装置に向けて分割再エンコードし送出する事を主な役割としている。例えば、９台の映像表示装置でマルチディスプレイ装置を構成する場合は、基となる映像信号を映像分配器にて９分割し、それぞれの映像表示装置用の映像信号として再エンコードし送出する。
【０００５】
ここで、映像分配器と映像表示装置の接続方法について述べる。映像分配器から映像表示装置へ映像信号を伝送する方法は様々であるが、一般的な方法としてＨＤＭＩ規格の信号線を利用した分配接続がある。外部機器側でそれぞれの映像表示装置用に分割された映像信号を、前記信号線によって映像表示装置へ伝送するものである。この他の接続方法としては、コンポジット信号による伝送や、デイジーチェーン方式による接続も存在する。
【０００６】
個々の映像表示装置の映像設定の必要性について述べる。映像表示装置は、一般的にフェーズ、水平位置、垂直位置などの映像設定を使用者が調整可能であり、映像ソースに合わせてこれらを変更する必要がある。例えば、映像ソースのコンテンツに対し、意図して映像全体を上または下へシフトさせたい場合などは垂直位置を調整する。また同様に、映像の明るさや色合いコントラストも、表示する映像ソースに合わせて調整する事がある。複数の映像表示装置を用いるマルチディスプレイ装置では、これらの設定を映像表示装置毎に調整する必要があり、これを実施できなければ意図した映像表現が実現出来ないばかりか、表示装置としての一体感や品位を著しく欠くものとなる。
【０００７】
最後に、マルチディスプレイ装置の遠隔操作装置、特にリモコンからの操作性について述べる。リモコンは赤外光などの発光素子を利用したものが一般に広く普及しているが、該リモコンは一定の指向性を有しているものの、一般の使用者がリモコンの方向を意識する必要のないような光放射角度となっている。すなわち、リモコンからの送信信号が到達するまでの距離があると結果として、光の放射範囲が増し、同じ識別コードで動作する映像表示装置が複数並んでいる場合には、映像表示装置の複数あるいは全部が意図せず同時に受光動作を行う事を意味する。このため、１回のリモコン操作で複数台の映像表示装置が動作しないよう、個々の映像表示装置は固有の識別コードを有し、リモコン側もこれに合わせて複数の識別コードを切り替える事が出来る機能を持たせ、使用者が操作したい映像表示装置のみを動作させている。しかしながら、一般的なテレビや映像モニターをベースにマルチディスプレイ装置を構成した場合、同一メーカーの同一製品のリモコンの識別コードは基本一種類であり、使用者がリモコンで操作したい映像表示装置にのみに受光されるよう映像表示装置毎に極端な至近距離から操作するか、あるいはリモコンを使用せず映像表示装置に備えられた本体操作キーによる操作が必要である。例えば、２列２段程度の小規模なマルチディスプレイ装置を構築する場合であれば、上述のように使用者が個々の映像表示装置を操作し個々に映像設定すれば作業量も問題にならないが、台数が増し、しかも使用者の身長よりも遥かに高く映像表示装置を積上げる大規模なマルチディスプレイ装置を構築した場合、高所に位置する映像表示装置は個別操作が困難だったり、リモコンの信号到達範囲外となったり、ＯＳＤ（On Screen Display）が見えづらく操作しにくいという状態が発生する。
【０００８】
そこで、マルチディスプレイ装置の映像設定に関する作業効率の悪さや煩雑さを解決するために、特許文献１のように、マルチディスプレイ装置の各映像表示装置が、各々の映像表示装置上に外部からの映像信号に替わってＯＳＤを表示し、映像設定を可能とする映像設定支援技術や、特許文献２において、単一の映像表示装置で使用者の都合の良い場所にＯＳＤを表示する事で映像の妨げにならず効率よく映像設定を行う技術が提案されている。
【先行技術文献】
【特許文献】
【０００９】
【特許文献１】特開平４−１９２６８６（平成４年７月１０日公開）
【特許文献２】特開２００９−８６４０８（平成２１年４月２３日公開）
【発明の概要】
【発明が解決しようとする課題】
【００１０】
しかしながら、特許文献１は、個々の映像表示装置の状態を個々の映像表示装置毎にＯＳＤ表示するものであり、全ての映像表示装置を調整するためには、個々の装置毎に使用者が設置場所に移動して操作しなければならないという操作性の悪さは、依然として解決されていない。特許文献２では、使用者の必要に応じてＯＳＤの表示位置を変更出来ることから、映像設定の作業効率改善に寄与するものの、単一の映像表示装置に関する技術開示であり、複数の映像表示装置を一体化して映像表示するマルチディスプレイ装置には適用できない。
【００１１】
そこで、本発明は、上記の問題に鑑みてなされたものであり、その目的は、接続されている複数の映像表示装置を用いたディスプレイにおいて映像設定の変更を行う際に操作する者が最も見やすい位置にある表示装置に操作画面を表示させ、全ての映像表示装置の映像設定の変更が容易に可能となるマルチディスプレイ装置を実現することにある。
【課題を解決するための手段】
【００１２】
前記目的を達成するため、本発明に係る第１の発明は、複数の映像表示装置が接続されたマルチディスプレイ装置において、前記各映像表示装置は、個々の映像表示装置を特定可能な個別識別情報を有し、前記各映像表示装置間は通信手段で接続され、前記各映像表示装置のうち、特定の映像表示装置が、他の映像表示装置の映像設定を行うことを特徴とする。更に、前記各映像表示装置のうち、遠隔操作装置によって特定された映像表示装置が、他の映像表示装置の映像設定を行うことを特徴とする。好ましくは、前記各映像表示装置のうち、特定の映像表示装置が、他の映像表示装置から映像設定情報を取得することを特徴とする。更に好ましくは、前記各映像表示装置のうち、特定された映像表示装置が、他の映像表示装置から映像設定情報を取得し、該情報を表示することを特徴とする。また更に好ましくは、複数の映像表示装置が接続されたマルチディスプレイ装置における映像設定方法であって、前記各映像表示装置は、前記各映像表示装置は個々の映像表示装置を特定可能な個別識別情報を有しており、前記各映像表示装置間は通信手段で接続されており、前記各映像表示装置のうち、特定の映像表示装置が、他の映像表示装置の映像設定情報を取得するステップと、前記取得した映像設定情報に変更が加えられた際、変更後の映像設定情報を映像設定情報の取得元となった映像表示装置へ反映させるステップとを有することを特徴とする。
【発明の効果】
【００１３】
接続されている複数の映像表示装置を用いたディスプレイにおいて映像設定の変更を行う際に操作する者が最も見やすい位置にある表示装置に操作画面を表示させ、全ての映像操作変更が容易に可能となるマルチディスプレイを実現することにある。
【図面の簡単な説明】
【００１４】
【図１】本発明に係る実施例の複数の映像表示装置と映像分配器、映像出力機器、ＰＣとの接続や内部の構成を示すブロック図である。
【図２】本発明に係る実施例におけるディスプレイのＩＰアドレス取得処理のフローチャートである。
【図３】本発明に係る実施例におけるＰＣのＩＰアドレス送信処理のフローチャートである。
【図４】本発明に係る実施例におけるディスプレイのリモコン処理のフローチャートである。
【図５】本発明に係る実施例におけるディスプレイのＯＳＤ表示を示した図である。
【図６】本発明に係る実施例におけるディスプレイのＯＳＤ表示を示した図である。
【図７】本発明に係る実施例におけるディスプレイのＯＳＤ表示を示した図である。
【図８】本発明に係る実施例におけるディスプレイのＯＳＤ表示を示した図である。
【図９】本発明に係る実施例におけるディスプレイのＯＳＤ表示を示した図である。
【発明を実施するための形態】
【実施例】
【００１５】
本発明の実施例について以下に述べる。図１はマルチディスプレイ装置の一実施例として、複数の映像表示装置であるディスプレイａ１００〜ディスプレイｉ９００と映像分配器３００、映像出力機器４００、外部制御機器としてＰＣ５００の接続と個々の内部構成をブロック図に示したものである。
【００１６】
まず、各ディスプレイと機器間の信号の流れから説明する。映像出力機器４００から、基となる映像信号が映像分配器３００に伝送され、ディスプレイ台数（９台）に応じ映像分割が実施され、個々のディスプレイが映像表示出来る映像信号に再エンコードされる。再エンコードされた映像信号は、ディスプレイａ１００〜ディスプレイｉ９００へ分配されるように接続されている。また、これとは別に、各ディスプレイを制御するための通信用の信号線が、ＰＣ５００とディスプレイａ１００〜ディスプレイｉ９００に接続されている。
【００１７】
続いて、各装置及び機器の内部構成について説明する。ディスプレイｉ９００は、映像分配器３００からの映像信号を受け取るための映像入力部９０６、受け取った映像信号を表示させるための表示駆動部９０５および表示部９０１を有し、ＰＣからＩＰアドレスや、他のディスプレイからの映像設定データを取得するため、通信手段６００に接続されている。ディスプレイｉ９００のＩＤやＩＰアドレスの他、ＰＣ５００から得たＩＤやＩＰアドレスと他のディスプレイの映像設定などのデータおよびＰＣ５００のＩＤとＩＰアドレスを記憶する記憶部９０７、更にはディスプレイｉ９００全体を制御する制御部９０４を備えている。また、ディスプレイｉ９００は、電源起動時に記憶部９０７に固有ＩＤが記憶されていることから個別識別が可能であり、ＰＣ５００と通信を行ってＩＰアドレスを取得する。更に、遠隔操作装置であるリモコンによる使用者からの指示を受光部９０２によって受け、映像設定メニューのＯＳＤ表示や設定変更の処理などを行う事が出来る。以上の事は、ディスプレイａ１００〜ディスプレイｈ８００も同様の構成である。一方ＰＣ５００は、各ディスプレイとの間でＩＤやＩＰアドレスを通信や映像設定データを交換するため、通信手段６００に接続されており、これらのデータを記憶部５０３に蓄える事が出来る。また、これらＰＣ５００全体の制御を行う制御部５０１を有している。
【００１８】
各装置の動作について動作順に説明する。最初に、ＰＣ５００と各ディスプレイ間でＩＰアドレス取得のためのネゴシエーション動作について述べる。図２はディスプレイのＩＰアドレス取得処理のフローチャートであり、図３は、ＰＣ５００のＩＰアドレス送信処理のフローチャートである。ディスプレイｉ９００は電源起動すると、図２に示す処理に従いディスプレイｉ９００の固有ＩＤ値である「９」を、ＰＣのＩＰアドレスである「１０．ｘｘ．ｘｘ．１０」へ送信し、ＩＰアドレスの取得要求を行う（Ｓ２０１。「Ｓ」は、ステップを表す。以下同様。）。ＰＣ５００はＩＰアドレスの問合せであるかを判別し（Ｓ３０１）、送信されたＩＤ値「９」を受信し（Ｓ３０２）、ディスプレイｉ９００の固有ＩＤ「９」に対応付けられたＩＰアドレスを検索し（Ｓ３０３）、結果として該当する「１０．ｘｘ．ｘｘ．０９」をディスプレイｉ９００であるＩＤ「９」へ送信する（Ｓ３０４）。ディスプレイｉ９００は、ＰＣ５００からのＩＰアドレスを取得し（Ｓ２０２）、記憶部９０７に記憶して（Ｓ２０３）、ＩＰアドレス取得処理は完了する。同様にディスプレイａ１００〜ディスプレイｈ８００も順次電源起動によりＩＰアドレスを取得する。
【００１９】
なお、ＩＰアドレスの取得は、本実施例のように各ディスプレイであらかじめ記憶した固有ＩＤをＰＣにて照合しアドレス取得する方法の他、初期値として固有ＩＤを持たずにディスプレイの起動順に取得する方法、ＰＣなどの外部制御機器を使用せずに各映像表示装置の固有ＩＤ識別だけで通信処理を確立する方法など、各ディスプレイ及びＰＣ５００の間で支障なく通信処理が確立出来れば、適宜選択できることは言うまでもない。
【００２０】
続いて、使用者による映像設定の操作と動作について述べる。図４はディスプレイの処理のフローチャートであり、ディスプレイａ１００〜ｉ９００で共通である。図５〜７はディスプレイのリモコン操作によるディスプレイにおけるＯＳＤ表示を図示したものである。遠隔操作装置としてのリモコンで、赤外光を使用した場合、他のディスプレイのリモコン受光部でも受光されないように至近距離で操作を行うか、集光レンズを発光素子前面に装着し指向性を上げて使用することが出来る。また、より確実に複数のディスプレイで受光させないように、最初に他のディスプレイに影響を与えない極端な至近距離で特定のディスプレイにのみ受光させ、その際、受光したディスプレイから他のディスプレイでの受光を無視するよう、通信手段６００を介して制御し、以降の操作においては他のディスプレイによる誤った受光を意識する事無く遠隔操作する事も可能である。なお、本発明は使用者による操作を赤外光リモコンに限定するものではなく、有線接続リモコンやディスプレイに備えられた本体操作パネルのキーで操作するものであっても良い。
【００２１】
本実施例では、複数組み合わせたディスプレイの内、ディスプレイｉ９００が最も使用者が操作しやすい位置にあるものとして説明する。ディスプレイｉ９００の当初の操作待ちの状態は図４の「スタート」位置にあり、マルチディスプレイ装置のＯＳＤ表示は、図５に示すようにディスプレイａ〜ｉが各ＩＤ値として「ＩＤ：１」〜「ＩＤ：９」をそれぞれ表示している。この状態から、使用者がディスプレイｉ９００に向けてリモコンのＭＥＮＵキーを押し、ＭＥＮＵ信号が送出される。ディスプレイｉ９００はリモコンからの信号入力の有無を判定し（Ｓ４０１）、ディスプレイｉ９００が各ディスプレイの中から特定のディスプレイとして他のディスプレイに対する設定操作受付も担う位置づけとなる。ディスプレイｉ９００は信号が「ＭＥＮＵ」であるかを確認し（Ｓ４０２）、「ＭＥＮＵ」であればディスプレイｉ９００のＩＤを表示処理し（Ｓ４０３）、図６に示すように、ＯＳＤには「ＭＥＮＵ  ディスプレイＩＤ：９」が表示される。
【００２２】
更に使用者がリモコン操作によって２度目のＭＥＮＵキーを押す事で、ディスプレイｉ９００はリモコンからの信号入力の有無を判定し（Ｓ４０４）、入力信号が「ＭＥＮＵ」であるかを判定し（Ｓ４０５）、「ＭＥＮＵ」であれば映像設定に関するＯＳＤの各項目値を呼び出し（Ｓ４０６）、ＯＳＤ表示処理を実行する（Ｓ４０７）。図７に示す映像設定の項目（「画像調整」や各調整項目である「クロック、フェーズ、水平位置」やこれら各調整項目の設定値を示す「バーグラフ」や「値」の他、「自動調整」「リセット」などの機能を稼動させるための項目表示、表示されている項目が多ページに渡らない事を示す「１/１」や、ディスプレイｉ９００の映像設定を行っている事を表す「ＩＤ：９」）などがＯＳＤ表示される。
【００２３】
更に、使用者が映像設定の変更を行う場合、変更を行う項目が選択されていない場合、リモコンにて変更を行う項目の指定を行う。ディスプレイｉ９００はリモコン入力の有無を判定し（Ｓ４２１）、入力ありと判定した場合、入力が「項目選択」か「ＭＥＮＵ」か「数値」かを判定する（Ｓ４２２）。ディスプレイｉ９００は入力が「項目選択」であった場合、項目の選択を実施し（Ｓ４２３）、選択された項目にカーソル表示など明示的に選択中である事を示す視覚的手法でＯＳＤ表示を更新する（Ｓ４２４）。この状態から、使用者が変更したい当該項目の値をリモコン操作によって変更する。すなわち、ディスプレイｉ９００はリモコン入力の有無を判定し（Ｓ４２１）、入力がありと判定した場合、入力が「項目選択」か「ＭＥＮＵ」か「数値」かを判定する（Ｓ４２２）。ディスプレイｉ９００は入力が「数値」であった場合、数値の更新処理を実施し（Ｓ４２５）、ＯＳＤの表示を変更された値の表示に更新し（Ｓ４２６）、画面の表示状態（クロック、フェーズ、水平位置など）の更新をする（Ｓ４２７）。以上で映像設定の変更は完了する。
【００２４】
以上は、ディスプレイｉ９００の操作によるディスプレイｉ９００の映像設定の動作説明であるが、ＯＳＤの内容が上記の具体的な項目に限定されないことはいうまでもない。尚、ＯＳＤを消す場合は、ＯＳＤが表示されている状態から更にリモコン操作でＭＥＮＵキーを選択する事で消去できる。すなわち、ディスプレイｉ９００はリモコン入力の有無を判定し（Ｓ４２１）、入力ありと判定した場合、入力が「項目選択」か「ＭＥＮＵ」か「数値」かを判定する（Ｓ４２２）。ディスプレイｉ９００は入力が「ＭＥＮＵ」であった場合、ＯＳＤを消す（Ｓ４３５）。
【００２５】
次に、ディスプレイｉ９００からの操作によるディスプレイａ１００の映像設定について、その動作を説明する。図８及び図９はリモコン操作とＯＳＤ表示を図示したものである。ディスプレイｉ９００は、Ｓ４０３の処理を完了した状態から使用者によって次に映像設定したいディスプレイａ１００のＩＤ値「１」をリモコンから送信されると、ディスプレイｉ９００はリモコンからの信号の有無を判定し（Ｓ４０４）、入力信号が「数値」であるかを判別し（Ｓ４０５）、入力信号「１」は「数値」あるためＯＳＤの表示状態を更新する処理を行い（Ｓ４０８）、図８に示すようにディスプレイｉ９００に「ＭＥＮＵ  ディスプレイＩＤ：１」がＯＳＤ表示される。
【００２６】
この状態で映像設定したいディスプレイの変更を行なう場合には、更にリモコンの数値キーを操作することにより対象となるディスプレイを変更することが可能である。
【００２７】
また、この変更ディスプレイが選択された状態にてＭＥＮＵキーを押す事で、ディスプレイｉ９００は、リモコンからの信号入力の有無を判定し（Ｓ４０９）、入力信号が「ＭＥＮＵ」であるかを判別し（Ｓ４１０）、「ＭＥＮＵ」であれば取得済みの入力信号「１」すなわちＩＤ：１に割り当てられたＩＰアドレスをＰＣ５００に問い合わせし（Ｓ４１１）、ＰＣ５００は図３のフローチャートに従いＩＰアドレスの問合せかを判定し（Ｓ３０１）、ＩＤ値「１」を受信する（Ｓ３０２）。更にＰＣ５００はディスプレイｉ９００から要求のあったＩＤ：１に対応するＩＰアドレス、すなわち「１０．ｘｘ．ｘｘ．０１」を検索し（Ｓ３０３、検索結果をディスプレイｉ９００へ送信する（Ｓ３０４）。ディスプレイｉ９００は、ＰＣ５００からＩＰアドレスを受信し（Ｓ４１２）、対象のＩＰアドレスすなわちディスプレイａ１００に対しディスプレイａ１００の映像設定に必要なＯＳＤの各項目の値の送信を要求する（Ｓ４１３）。ディスプレイａ１００ではリモコンからの入力ではない事、すなわちディスプレイｉ９００からの通信であることの判定を行い（Ｓ４０１）、ディスプレイｉ９００からの通信がディスプレイａ１００の映像設定に関するＯＳＤの項目値要求であると判定し（Ｓ４１６）、各項目の値をディスプレイｉ９００へ送信する（Ｓ４１７）。ディスプレイｉ９００は対象のＩＰアドレスからのＯＳＤの各項目の値を受信し（Ｓ４１４）、ディスプレイａ１００の映像設定に関するＯＳＤの表示処理を行い（Ｓ４１５）、図９に示すようにディスプレイｉ９００にディスプレイａ１００の映像設定の項目が表示される。
【００２８】
なお、映像設定の表示には、映像設定の対象となるディスプレイａ１００の調整画面である事を示すＩＤ１が画面右上に表示されており、映像設定がディスプレイａ１００の設定モードである事がわかる。更に、使用者が映像設定の変更を行う場合、変更を行う項目が選択されていない場合、リモコンにて変更を行う項目の指定を行う。ディスプレイｉ９００はリモコン入力の有無を判定し（Ｓ４２８）、入力ありと判定した場合、入力が「項目選択」か「ＭＥＮＵ」か「数値」かを判定する（Ｓ４２９）。ディスプレイｉ９００は入力が「項目選択」であった場合、項目の選択を実施し（Ｓ４３０）、選択された項目にカーソル表示など明示的に選択中である事を示す視覚的手法でＯＳＤ表示を更新する（Ｓ４３１）。変更したい項目の選択後、使用者が変更したい当該項目の値をリモコン操作によって変更する。すなわち、ディスプレイｉ９００はリモコン入力の有無を判定し（Ｓ４２８）、入力がありと判定した場合、入力が「項目選択」か「ＭＥＮＵ」か「数値」かを判定する（Ｓ４２９）。ディスプレイｉ９００は入力が「数値」であった場合、数値の更新処理を実施し（Ｓ４３２）、ＯＳＤの表示を変更された値の表示に更新し（Ｓ４３３）、対象となるディスプレイａ１００のＩＰアドレス「１０．ｘｘ．ｘｘ．０１」へ変更した値を送信する（Ｓ４３４）。
【００２９】
一方、ディスプレイａ１００では映像設定の当該項目の値を受信し設定値を変更する。すなわち、ディスプレイａ１００は他のディスプレイからの入力有無を判定し（Ｓ４０１）、入力ありと判定した場合、他のディスプレイからの変更した値かＯＳＤの項目地の要求かそれ以外かを判定し（Ｓ４１６）、入力が他のディスプレイからの変更した値であると判定した場合、設定値の変更処理を実施し（Ｓ４１８）、画面の表示状態（クロック、フェーズ、水平位置など）の更新をする（Ｓ４１９）。以上で、映像設定の変更は完了する。必要に応じ、他のディスプレイの設定モードに切り替えて調整を完了させる。尚、ＯＳＤを消す場合は、ＯＳＤが表示されている状態から更にリモコン操作でＭＥＮＵキーを選択する事で消去できる。すなわち、ディスプレイｉ９００はリモコン入力の有無を判定し（Ｓ４２１）、入力がありと判定した場合、入力が「項目選択」か「ＭＥＮＵ」か「数値」かを判定する（Ｓ４２２）。ディスプレイｉ９００は入力が「ＭＥＮＵ」であった場合、ＯＳＤを消す（Ｓ４３５）。
【００３０】
上述したように、例えディスプレイの積上げによって、操作対象となるディスプレイが使用者のいる場所よりも遥か高所に設置されていても、最も使用者が見やすく操作しやすい位置のディスプレイに、操作対象となるディスプレイのＯＳＤを表示する事で、効率よく映像設定する事ができる。
【産業上の利用可能性】
【００３１】
本発明は、複数の映像表示装置を接続し、一体の表示部とし機能するマルチディスプレイ装置全般に広く適用することができる。
【符号の説明】
【００３２】
１００  ディスプレイａ
２００  ディスプレイｂ
３００  映像分配器
４００  映像出力機器
５００  ＰＣ
５０１  制御部
５０３  記憶部
６００  通信手段
８００  ディスプレイｈ
９００  ディスプレイｉ
９０１  表示部
９０２  リモコン受光部
９０４  制御部
９０５  表示駆動部
９０６  映像入力部
９０７  記憶部
【図１】
2011257524.tif 000003
【図２】
2011257524.tif 000004
【図３】
2011257524.tif 000005
【図４】
2011257524.tif 000006
【図５】
2011257524.tif 000007
【図６】
2011257524.tif 000008
【図７】
2011257524.tif 000009
【図８】
2011257524.tif 000010
【図９】
2011257524.tif 000011